(57)【要約】【課題】ヒンジ部品の組み付け作業の簡便化を図ると共に部品コストの削減を可能にしたパチンコ機を提供する。【解決手段】外枠１の前面に前枠２を回動自在に装着すると共に、該前枠２にガラス扉枠１０を回動自在に装着してなるパチンコ機において、前枠２に固着する取付基板Ｍ１ａと、取付基板Ｍ１ａの上部に前向き突設した上部板Ｍ１ｂと、取付基板Ｍ１ａの下部に前向き突設した下部板Ｍ１ｃとにより上部ヒンジ具Ｍ１を形成し、その上部ヒンジ具Ｍ１の上部板Ｍ１ｂを外枠１の上部ヒンジ具Ｓ１に、また、下部板Ｍ１ｃをガラス扉枠１０の上部ヒンジ具Ｇ１に回転可能に軸着してなる。このパチンコ機は、前枠２に取り付けた一個の上部ヒンジ具Ｍ１で外枠１と前枠２及び前枠２とガラス扉枠１０の上部を軸着することができるため、ヒンジ部品を取付ける手間が大幅に短縮でき且つ部品コストの削減が可能になる。【選択図】図１
2011031073.tif 000002
【特許請求の範囲】
【請求項１】
外枠の前面に前枠を回動自在に装着すると共に、該前枠にガラス扉枠を回動自在に装着してなるパチンコ機において、
前記前枠に固着する取付基板と、該取付基板の上部に前向き突設した上部板と、取付基板の下部に前向き突設した下部板とにより上部ヒンジ具を形成し、その上部ヒンジ具の上部板を外枠側の上部ヒンジ具に、また、下部板をガラス扉枠側の上部ヒンジ具に夫々回転可能に軸着してなることを特徴とするパチンコ機。
【発明の詳細な説明】
【技術分野】
【０００１】
本発明は、前枠を外枠の前面に回動自在に装着すると共に該前枠にガラス扉枠を回動自在に装着してなるパチンコ機に関する。
【背景技術】
【０００２】
従来一般的なパチンコ機は、四角く枠組みした外枠に、機構板や遊技板などの主要部品を組み付けた前枠を装着してなる。また、前枠には遊技板の遊技部に対応する位置にガラス扉枠が装着されている。
而して前記前枠は、片側の上下隅角部に固着した上部ヒンジ具と下部ヒンジ具を外枠に固着した上部ヒンジ具と下部ヒンジ具に夫々軸着し、以て外枠前面にドア状に回動自在なるように取り付けられている。一方、ガラス扉枠は、前枠の窓穴を囲う金枠にドア状に回動自在なるように軸着されている。
【発明の概要】
【発明が解決しようとする課題】
【０００３】
上記のように従来のパチンコ機は、外枠と前枠、及び、前枠とガラス扉枠のヒンジ部品が夫々独立した構造であったため、ヒンジ部品の組み付けが煩雑になって作業能率が悪く、また、部品コストも高くつく、などの問題点があった。
本発明は上記に鑑みなされたもので、その目的は、ヒンジ部品の組み付け作業の簡便化を図ると共に部品コストの削減を可能にしたパチンコ機を提供することにある。
【課題を解決するための手段】
【０００４】
上記の目的を達成するため本発明は、前記前枠に固着する取付基板と、該取付基板の上部に前向き突設した上部板と、取付基板の下部に前向き突設した下部板とにより上部ヒンジ具を形成し、その上部ヒンジ具の上部板を外枠側の上部ヒンジ具に、また、下部板をガラス扉枠側の上部ヒンジ具に夫々回転自在に軸着するようにしてなるパチンコ機を提供する。
前枠に取り付けた一個の上部ヒンジ具で、外枠と前枠、及び、前枠とガラス扉枠の上部を軸着することができる。従って、ヒンジ部品を取付ける手間が従来に比べて大幅に短縮でき、且つ、部品コストの削減が可能になる。
【発明の効果】
【０００５】
本発明のパチンコ機は、前枠に取り付けた一個の上部ヒンジ具で、外枠と前枠、及び、前枠とガラス扉枠の各上部を軸着することができるため、ヒンジ部品を取付ける手間を従来に比べて大幅に短縮することができる。また、前枠の上部ヒンジ具は構造が簡単であるから安価に製造することができ、且つ、部品点数の減少をもたらすため、部品コストの削減が可能になる、などの効果がある。
【図面の簡単な説明】
【０００６】
【図１】各上部ヒンジ具を示す斜視図である。
【図２】パチンコ機の正面図である。
【図３】背面から見た前枠の斜視図である。
【図４】要部を示すパチンコ機の一部断面平面図である。
【図５】要部を示すパチンコ機の断面平面図である。
【図６】ガラス扉枠を開いて示す前枠上部の斜視図である。
【図７】ガラス扉枠を開いて示す前枠下部の斜視図である。
【発明を実施するための形態】
【０００７】
以下に本発明の実施例を図面を参照しつつ説明する。なお、図１は各上部ヒンジ具を示す斜視図、図２はパチンコ機の正面図、図３は背面から見た前枠の斜視図、図４は要部を示すパチンコ機の一部断面平面図、図５は要部を示すパチンコ機の断面平面図、図６はガラス扉枠を開いて示す前枠上部の斜視図、図７はガラス扉枠を開いて示す前枠下部の斜視図である。
【０００８】
パチンコ機Ｐは、四角く枠組みした外枠１と、該外枠１の前面に装着した前枠２とから構成される。外枠１は木製又は合成樹脂製であって、下側の前面に幕板３を配設してある。そして外枠１には、図２において正面向かって左側の上隅角部に上部ヒンジ具Ｓ１が、また、幕板３の左端上面に下部ヒンジ具Ｓ２が夫々固着されている。前記上部ヒンジ具Ｓ１は、図１に示したように、逆Ｌ字型の取付板Ｓ１ａと、該取付板Ｓ１ａから前向きに突設した軸プレートＳ１ｂと、その軸プレートＳ１ｂの上面に突設した上向きの受け軸Ｓ１ｃとからなり、前記取付板Ｓ１ａを外枠１に固定的に固着してある。なお、下部ヒンジ具Ｓ２は、上部ヒンジ具Ｓ１と取付板の形状が若干相違するものの、構成要素は同一である。
【０００９】
一方、前枠２は合成樹脂の成型品であって、大きな角型の窓穴４を有する額縁形態である。この前枠２の窓穴４の左右と上辺には周枠５が設けられ、さらに窓穴４の下辺には発射レール用の基盤６が設けられており、その周枠５と基盤６で囲われたスペースに遊技板７が嵌っている。周枠５には適宜な位置に回転型のクランプ８が軸着されており、該クランプ８により遊技板７が固定される。もちろん遊技板７は、クランプ８を回して係合を解くことにより自由に取り外し得る。
【００１０】
前枠２の前面には、前記遊技板７の遊技部７ａに対応する位置にガラス扉枠１０が装着されている。このガラス扉枠１０は、図２に細点を付して塗り分けたように前枠２のほぼ上半分を占める大きさであり、合成樹脂製の本体１０ａ裏面に金属パネル１０ｂを貼った二重構造である。ガラス板１１を差し込むための溝１２は該金属パネル１０ｂを曲げて作られている。
【００１１】
前記ガラス扉枠１０の片側上部には上部ヒンジ具Ｇ１が、また、同下部には下部ヒンジ具Ｇ２が設けられている。上部ヒンジ具Ｇ１は図１に示したように、Ｌ字型の可動軸Ｇ１ａと、該可動軸Ｇ１ａを上下動自在に支持するコ字型の昇降ガイド体Ｇ１ｂと、前記可動軸Ｇ１ａを上向きに付勢するコイルスプリングなどの弾性体Ｇ１ｃとからなり、常態において可動軸Ｇ１ａが弾性体Ｇ１ｃの付勢で上動位置にあってその頭部がガラス扉枠１０の横スリット１３内に臨み、また、可動軸Ｇ１ａを弾性体Ｇ１ｃの付勢に抗して下動させると頭部が横スリット１３内から退く。なお、図６に示したように昇降ガイド体Ｇ１ｂは金属パネル１０ｂの内面にビス止めされており、前記弾性体Ｇ１ｃが金属パネル１０ｂに形成した爪片１４と可動軸Ｇ１ａの間に引張り状態にて掛け渡されている。一方、下部ヒンジ具Ｇ２は図７に示すように軸穴Ｇ２ａを穿設した軸受板形状である。
【００１２】
前枠２の片側の上下部には上部ヒンジ具Ｍ１と下部ヒンジ具Ｍ２が取着されている。上部ヒンジ具Ｍ１は、図１に示したように、前枠２裏面にビス止めして固着する取付基板Ｍ１ａと、該取付基板Ｍ１ａの上部に前向き突設した上部板Ｍ１ｂと、取付基板Ｍ１ａの下部に前向き突設した下部板Ｍ１ｃとにより形成される。上部板Ｍ１ｂには前記外枠１の上部ヒンジ具Ｓ１の受け軸Ｓ１ｃが嵌まる軸穴Ｍ１ｄが穿設され、また、下部板Ｍ１ｃにはガラス扉枠１０の可動軸Ｇ１ａが嵌まる軸穴Ｍ１ｅが穿設されている。一方、下部ヒンジ具Ｍ２は、外枠１の下部ヒンジ具Ｓ２の受け軸に対応する軸穴Ｍ２ａを穿設した軸受板形状である。
【００１３】
その他、前枠２には、図７に示したようにガラス扉枠１０の下部ヒンジ具Ｇ２に対応する中間ヒンジ具１５が形成されており、該中間ヒンジ具１５に前記下部ヒンジ具Ｇ２の軸穴Ｇ２ａに嵌まる受け軸１５ａが突設されている。また、前枠２の窓穴４には、ガラス扉枠１０の下側に、上球皿１６を有する前面板１７が回動自在に軸着されている。
【００１４】
而して、前枠２は、自己の上部ヒンジ具Ｍ１の上部板Ｍ１ｂに穿った軸穴Ｍ１ｄに外枠１の上部ヒンジ具Ｓ１の受け軸Ｓ１ｃを遊嵌し、また、自己の下部ヒンジ具Ｍ２の軸穴Ｍ２ａに外枠１の下部ヒンジ具Ｓ２の受け軸Ｓ１ｃを遊嵌し、以て外枠１前面に回動自在に装着される。一方、ガラス扉枠１０は、自己の上部ヒンジ具Ｇ１の可動軸Ｇ１ａを前枠２の上部ヒンジ具Ｍ１の下部板Ｍ１ｃに穿った軸穴Ｍ１ｅに遊嵌し、また、自己の下部ヒンジ具Ｇ２に穿った軸穴Ｇ２ａに前枠２の中間ヒンジ具１５の受け軸１５ａを遊嵌し、以て前枠２前面に回動自在に装着される。なお、ガラス扉枠１０の上部ヒンジ具Ｇ１と前枠２の上部ヒンジ具Ｍ１の結合は、先ず、可動軸Ｇ１ａを弾性体Ｇ１ｃの付勢に抗して引き下げ、その状態で横スリット１３内に前枠２の上部ヒンジ具Ｍ１の下部板Ｍ１ｃを滑り込ませ、軸穴Ｍ１ｅの中心と可動軸Ｇ１ａの軸線を一致させて可動軸Ｇ１ａを解放すればよい。この操作を逆の手順で行えばガラス扉枠１０を前枠２から外すこともできる。
【００１５】
ところで、前枠２の上部ヒンジ具Ｍ１は、図４に示したように上部板Ｍ１ｂと下部板Ｍ１ｃの軸穴Ｍ１ｄ，Ｍ１ｅの位置をずらしてある。すなわち、第一に下部板Ｍ１ｃの軸穴Ｍ１ｅを、上部板Ｍ１ｂの軸穴Ｍ１ｄより外枠１からの突出寸法が小さくなるように設定してある。こうすることにより下部板Ｍ１ｃがガラス扉枠１０の中にすっきりと収まる。第二に下部板Ｍ１ｃの軸穴Ｍ１ｅを、上部板Ｍ１ｂの軸穴Ｍ１ｄより内寄りにずらし、さらに、ガラス扉枠１０の回動中心より外側にはみ出している部分Ｚが旋回するための遊び空間Ｓが前枠２のヒンジ側の側縁前面に溝状に形成してある。こうすることにより、図５二点鎖線で示したごとく、ガラス扉枠１０を台間球貸機１８の球出し部１８ａに邪魔されることなく９０度以上に広く開放することができる。因に、下部板Ｍ１ｃの軸穴Ｍ１ｅをガラス扉枠１０の縁に寄せると、ガラス扉枠１０が台間球貸機１８の球出し部１８ａにぶつかって開き角度が９０度以下と小さくなる。
【００１６】
その他、図３において、１９は周枠５に設けた機構板取付用の軸受金具、２０は機構板固定用の蝶型摘み、２１は前枠２を外枠１に固定するための係合片、２２は発射モータ、２３は補強用並びに防犯用に前枠２裏面に設けた金属製の剛性板、２４は入賞したパチンコ球を集めて機構板の入賞球処理装置に導くための入賞球集合カバーである。また、図６，図７において、２５は前枠２のヒンジ側の縁に設けられた前枠２側の防犯板、２６はガラス扉枠１０のヒンジ側の縁に設けられた防犯板である。前記前枠２側の防犯板２５は、外側縁をガラス扉枠１０側に捲り上げた形態の誘導部２５ａを有し、前枠２とガラス扉枠１０の隙間に合成樹脂製の帯板（所謂セル板）が不正に差し込まれた場合に、その帯板を誘導部２５ａに誘い込んで前記周枠５の側面に衝突させ、それ以上帯板を入らせないようにして動きを封じるものである。また、前記ガラス扉枠１０側の防犯板２６は、ガラス扉枠１０と前枠２の隙間をガラス扉枠１０側から塞ぐもので、前記帯板の侵入を阻止する機能を果たす。このガラス扉枠１０側の防犯板２６と前記前枠２側の防犯板２５とを組み合わせることによって帯板（セル板）による不正行為を最も効果的に防止することができる。なお、両防犯板２５，２６は、ガラス扉枠１０の幅を本実施例のように前枠２の幅一杯に拡張した場合の不正防止策として有効に機能する。
【００１７】
また、図２において、２７はガラス扉枠１０の上部に被せたランプカバーである。該ランプカバー２７の内部は中空であって、照明用のランプ２８は前枠２側に取り付けられている。そして、ガラス扉枠１０の金属パネル１０ｂに穿設した通孔２９を介してランプ２８がランプカバー２７内に臨む。係る照明構造にすれば、ランプ２８が前枠２側にあって固定的であるため、ガラス扉枠１０側にランプ２８を組み込む場合に比べて配線が容易であると共に断線などのトラブルが起こり難い。
【００１８】
以上本発明を実施例について説明したが、もちろん本発明は上記実施例に限定されるものではない。例えば、各ヒンジ具の軸と軸穴の関係を逆転させるようにしてもよい。
【符号の説明】
【００１９】
Ｐ  …パチンコ機
１  …外枠
２  …前枠
１０…ガラス扉枠
Ｍ１…前枠の上部ヒンジ具
Ｍ１ａ…取付基板
Ｍ１ｂ…上部板
Ｍ１ｃ…下部板
Ｓ１  …外枠の上部ヒンジ具
Ｇ１  …ガラス扉枠の上部ヒンジ具
【図１】
2011031073.tif 000003
【図２】
2011031073.tif 000004
【図３】
2011031073.tif 000005
【図４】
2011031073.tif 000006
【図５】
2011031073.tif 000007
【図６】
2011031073.tif 000008
【図７】
2011031073.tif 000009